(57)【特許請求の範囲】
【請求項１】
給湯加熱用の給湯熱交換器と、循環ポンプの駆動によって流体を循環させるための循環流路に介設され給湯以外の他機能運転用の非給湯側熱交換器とが一体化され、この一体化された給湯熱交換器と非給湯側熱交換器とが共通のバーナにより燃焼加熱される構成とし、上記給湯熱交換器内の湯温を検出する給湯熱交換器湯温検出手段と、給湯以外の他機能単独運転中に、給湯熱交換器湯温検出手段により検出される給湯熱交換器内の湯温が予め定めたオフ温度以上に上昇したときにはバーナ燃焼を停止し上記給湯熱交換器湯温検出手段により検出される給湯熱交換器内の湯温が予め定めたオン温度以下に低下したときにはバーナ燃焼を再開させるオン・オフ燃焼制御部と、該オン・オフ燃焼制御部のバーナ燃焼制御による他機能単独運転中において上記循環流路を流れる循環流体の循環流量の大きさに応じて変化する給湯熱交換器内の湯の湯温変化データと上記給湯熱交換器湯温検出手段によって検出される給湯熱交換器内湯温とに基づき上記循環流路を循環する流体の循環流量を検出する循環流量検出部とが設けられている一缶二水路燃焼機器であって、予め定まる最大循環流量よりも多い循環流量が上記循環流量検出部により検出されたときには漏れ給湯が生じていると判断して漏れ給湯発生信号を出力する漏れ給湯検出部が設けられている構成としたことを特徴とする一缶二水路燃焼機器。
【請求項２】
給湯熱交換器の入側の給水通路と出側の給湯通路とを短絡するバイパス通路と、上記バイパス通路から流れ出る水が合流する湯側の湯水の流量とバイパス通路を流れる水のバイパス流量との流量比を可変するための流量比制御手段とが設けられており、漏れ給湯検出部から漏れ給湯発生信号が出力されたときには、予め定めた流量比制御データに基づき上記流量比制御手段を制御して上記湯側の流量とバイパス流量との流量比を漏れ給湯による高温出湯を回避する流量比に向けて制御する高温出湯回避部が設けられている構成としたことを特徴とする請求項１記載の一缶二水路燃焼機器。
【請求項３】
漏れ給湯検出部から漏れ給湯発生信号が出力されたときには、上記オン温度とオフ温度のうちの少なくともオフ温度を下げる方向に可変設定する高温出湯回避部が設けられている構成としたことを特徴とする請求項１記載の一缶二水路燃焼機器。
【発明の詳細な説明】
【０００１】
【発明の属する技術分野】
本発明は、給湯機能と給湯以外の他機能を備えた一缶二水路燃焼機器に関するものである。
【０００２】
【従来の技術】
図１4には出願人が開発している一缶二水路燃焼機器である一缶二水路風呂給湯器のシステム構成例が示されている。同図において、器具ケース１内には給湯機能の給湯熱交換器２と給湯以外の他機能の追い焚き機能を行う追い焚き熱交換器３とが一体化されて配設されている。すなわち、複数の共通のフィンプレート４に給湯側の水管を貫通装着して給湯熱交換器２と成し、同じくフィンプレート４に追い焚き側の水管を貫通装着して追い焚き熱交換器３と成している。
【０００３】
これら一体化された熱交換器の下方側には給湯熱交換器２と追い焚き熱交換器３を共通に加熱するバーナ５が配置されており、このバーナ５の燃焼の給排気を行う燃焼ファン６がバーナの下側に配置されている。バーナ５にはガス通路９が接続されており、このガス通路９には通路の開閉を行う電磁弁７，８と、ガスの供給量（バーナの燃焼熱量）を開弁量によって制御する比例弁１０とが介設されている。なお、前記比例弁１０の開弁量制御は、具体的には、比例弁１０に印加される電流（開弁駆動電流）の可変制御によって行われている。
【０００４】
前記給湯熱交換器２の入側には給水通路である給水管１１が接続されており、この給水管１１には給湯熱交換器２の入水温度（給水温度）を検出する給水温度検出センサ１２と、給水（給湯）流量（湯張りの場合には湯張り流量）を検出する流量検出センサ１３とが設けられている。なお、給水管１１の入口側は水道管に接続されている。
【０００５】
前記給湯熱交換器２の出側には給湯通路である給湯管１４が接続されており、この給湯管１４は外部配管を介して台所等の所望の給湯場所に導かれている。前記給湯熱交換器２の出側の流路には給湯温度を検出する給湯温度センサ１５が設けられている。
【０００６】
前記追い焚き熱交換器３の入側には管路１６の一端側が接続され、管路１６の他端側は循環ポンプ１７の吐出側に接続されている。そして、循環ポンプ１７の吸込側と浴槽１８は戻り管２０によって接続されており、この戻り管２０には浴槽１８の循環湯水の温度を風呂温度として検出する風呂温度センサ２１と、流水を検出する流量センサ又は流水センサ（流水スイッチ）１９とが設けられている。前記追い焚き熱交換器３の出側には往管２２の一端側が接続され、往管２２の他端側は浴槽１８に接続されており、浴槽１８から戻り管２０を介して循環ポンプ１７、管路１６、追い焚き熱交換器３および往管２２を介して浴槽１８に戻る通路は流体の循環流路として機能する追い焚き循環流路２３を構成している。
【０００７】
前記給湯熱交換器２の給湯管１４と追い焚き循環流路２３（図１４においては管路１６）は湯張り通路２４によって連通接続されており、この湯張り通路２４には通路の開閉を行う電磁弁等により構成される注湯弁２５が介設され、この注湯弁２５の下流側の湯張り通路２４には浴槽１８の水位を水圧によって検出する水位センサ（圧力センサ）２６が設けられている。
【０００８】
前記流量検出センサ１３、温度センサ１２，１５，２１、水位センサ２６等のセンサ検出信号は制御装置２７に加えられており、この制御装置２７にはリモコン２８が接続されている。このリモコン２８には給湯温度を設定する給湯温度設定手段や、風呂温度を設定する風呂温度設定手段や、自動運転、追い焚き運転、湯張り運転等を指令する各種運転ボタンや、必要な情報を表示する表示部等が設けられている。
【０００９】
前記制御装置２７は各種センサ検出信号とリモコン２８の情報を取り込み、内部に与えられているシーケンスプログラムに従い、給湯運転と、湯張り運転と、追い焚き運転を次のように制御する。
【００１０】
例えば、台所等に導かれた給湯通路の水栓３０が開けられ、給湯運転を開始することが可能な予め定めた給湯作動流量（例えば、２．５リットル／ｍｉｎ）以上の流量が流量検出センサ１３により検出されると、燃焼ファン６の回転が行われ、電磁弁７，８の開動作が行われてバーナ５に燃料ガスが供給されると共に、点火器（図示せず）の点火によりバーナ５の燃焼が行われ、給湯温度センサ１５で検出される給湯温度がリモコン２８で設定される給湯設定温度に一致するように比例弁１０への開弁駆動電流を制御し、給湯熱交換器２を通る水をバーナ５の火炎により加熱して設定温度の湯を作り出し、この湯を給湯管１４を介して給湯場所へ給湯する。そして、水栓３０が閉められて、流量検出センサ１３からオフ信号が出力されたときに、バーナ燃焼を停止し、給湯運転モードの動作を終了する。
【００１１】
また、リモコン２８により自動運転のモードや、湯張り運転モードが指令されると、注湯弁２５が開けられる。そして、流量検出センサ１３により上記給湯作動流量以上の流量が検出されると、給湯運転の場合と同様にバーナ５の燃焼を開始し、給湯熱交換器２で湯を作り出し、該作り出された湯は給湯管１４、湯張り通路２４を通り、さらに分岐して管路１６から追い焚き熱交換器３を経て往管２２を通る通路と戻り管２０を通る通路の両側から浴槽１８に湯が落とし込まれる。そして、設定水位までの湯の水量が落とし込まれたとき、又は水位センサ２６により設定水位が検出されたときに注湯弁２５が閉じられバーナ５の燃焼が停止して湯張り運転モードの動作が終了する。
【００１２】
追い焚き運転モードの動作においては、注湯弁２５が閉じられている状態で、循環ポンプ１７が回転駆動され、浴槽１８内の湯水の循環が追い焚き循環流路２３を通して行われ、風呂温度センサ２１により検出される風呂検出温度が風呂設定温度よりも低いときには、流量センサ（流水センサ）１９から流水オン信号を受けてバーナ５の燃焼が行われ、追い焚き循環流路２３を通して循環する浴槽湯水を追い焚き熱交換器３で加熱する。そして、風呂温度センサ２１により浴槽湯水の温度が風呂設定温度に達したことが検出されたときに、循環ポンプ１７の停止とバーナ５の燃焼停止が行われて追い焚き運転モードの動作が終了する。
【００１３】
上記の如く、一缶二水路風呂給湯器は、共通のバーナ５を用いて、一体化された給湯熱交換器２と追い焚き熱交換器３を加熱する方式なので、別体に設けられた給湯熱交換器と追い焚き熱交換器をそれぞれ別個のバーナを用いて燃焼加熱する方式に比べ、装置構成の簡易化が図れ、これに伴い、装置（器具）の小型化とコスト低減が図れることになる。
【００１４】
ところで、この種の一缶二水路式の燃焼機器は、給湯熱交換器２と追い焚き熱交換器３とが一体化されているため、追い焚き単独運転が行われて、バーナ５の燃焼により追い焚きが行われると、滞留している給湯熱交換器２内の湯水が加熱されて、沸騰あるいは沸騰寸前の高温に加熱され、この状態から水栓３０が開けられて給湯が開始する際に、その高温の湯水が出湯して危険な状態になるという問題が生じる。本出願人は、このような問題を解消するために、バーナ５の間欠燃焼の駆動方式を提案している。このバーナ５の間欠駆動方式は、給湯熱交換器２の水管に給湯熱交換器２内の湯温を検出する給湯熱交換器湯温検出手段である給湯熱交湯温センサ３１を設け、図１２に示すように、この給湯熱交湯温センサ３１の検出情報をオン・オフ燃焼制御部３２に加え、このオン・オフ燃焼制御部３２によりバーナ５の間欠燃焼を制御するものである。
【００１５】
すなわち、オン・オフ燃焼制御部３２は、追い焚き単独運転モードの動作（追い焚き単独オンの動作）であることを確認し、図１３に示す如く、給湯熱交湯温センサ３１で検出される給湯熱交湯温が予め与えられるオフ温度以上に上昇したときに、電磁弁７（８）を閉じてバーナ５の燃焼を停止（燃焼オフ）し、この燃焼停止中に給湯熱交湯温が予め与えられるオン温度以下に低下したときに、電磁弁７（８）を開けてバーナ５の燃焼を開始（燃焼オン）させるという如く、バーナ５の間欠燃焼を制御し、追い焚き単独運転中における給湯熱交換器２側の湯温が高温に加熱されるのを防止して給湯開始時の安全を図るものである。
【００１６】
【発明が解決しようとする課題】
ところで、追い焚き単独運転中に、上記水栓３０が閉め切られておらず僅かに開栓しており、前記給湯作動流量以下の微量の流量で水栓３０から湯が僅かに漏れ出ている場合がある。この漏れ給湯発生時には、上記バーナ５の間欠燃焼を行っても高温湯が出湯してしまう。それというのは、給湯熱交換器２内に湯水が滞留しているときには、給湯熱交換器２の中央領域の滞留湯が最も高温になることから、この中央領域の滞留湯が高温出湯の危険のない湯温となるように上記バーナ５の間欠燃焼制御が行われるが、漏れ給湯が発生しているときには、漏れ通水は給湯熱交換器２の中央領域から出側に至るまでにバーナ５の燃焼火炎の熱を受け取り、給湯熱交換器２の出側の湯温は中央領域の湯温よりも格段に高温になってしまい、漏れ給湯に起因した高温出湯が生じてしまう。
【００１７】
上記の如く、漏れ給湯に起因した高温湯が人の手や体に当たると、高温による不快感を与えてしまったり、高温湯により人に火傷を負わせる等の重大な問題を発生させてしまう場合もある。
【００１８】
この発明は上記課題を解決するために成されたものであり、その目的は、漏れ給湯を自動検知することができ、漏れ給湯に起因した高温出湯問題を回避することが可能な一缶二水路燃焼機器を提供することにある。
【００１９】
【課題を解決するための手段】
上記目的を達成するために、この発明は次のような構成をもって前記課題を解決するための手段としている。すなわち、第１の発明は、給湯加熱用の給湯熱交換器と、循環ポンプの駆動によって流体を循環させるための循環流路に介設され給湯以外の他機能運転用の非給湯側熱交換器とが一体化され、この一体化された給湯熱交換器と非給湯側熱交換器とが共通のバーナにより燃焼加熱される構成とし、上記給湯熱交換器内の湯温を検出する給湯熱交換器湯温検出手段と、給湯以外の他機能単独運転中に、給湯熱交換器湯温検出手段により検出される給湯熱交換器内の湯温が予め定めたオフ温度以上に上昇したときにはバーナ燃焼を停止し上記給湯熱交換器湯温検出手段により検出される給湯熱交換器内の湯温が予め定めたオン温度以下に低下したときにはバーナ燃焼を再開させるオン・オフ燃焼制御部と、該オン・オフ燃焼制御部のバーナ燃焼制御による他機能単独運転中において上記循環流路を流れる循環流体の循環流量の大きさに応じて変化する給湯熱交換器内の湯の湯温変化データと上記給湯熱交換器湯温検出手段によって検出される給湯熱交換器内湯温とに基づき上記循環流路を循環する流体の循環流量を検出する循環流量検出部とが設けられている一缶二水路燃焼機器であって、予め定まる最大循環流量よりも多い循環流量が上記循環流量検出部により検出されたときには漏れ給湯が生じていると判断して漏れ給湯発生信号を出力する漏れ給湯検出部が設けられている構成をもって前記課題を解決する手段としている。
【００２０】
第２の発明は、上記第１の発明を構成する給湯熱交換器の入側の給水通路と出側の給湯通路とを短絡するバイパス通路と、上記バイパス通路から流れ出る水が合流する湯側の湯水の流量とバイパス通路を流れる水のバイパス流量との流量比を可変するための流量比制御手段とが設けられており、漏れ給湯検出部から漏れ給湯発生信号が出力されたときには、予め定めた流量比制御データに基づき上記流量比制御手段を制御して上記湯側の流量とバイパス流量との流量比を漏れ給湯による高温出湯を回避する流量比に向けて制御する高温出湯回避部が設けられている構成をもって前記課題を解決する手段としている。
【００２１】
第３の発明は、上記第１の発明の構成を備え、漏れ給湯検出部から漏れ給湯発生信号が出力されたときには、上記オン温度とオフ温度のうちの少なくともオフ温度を下げる方向に可変設定する高温出湯回避部が設けられている構成をもって前記課題を解決する手段としている。
【００２２】
上記構成の発明において、給湯以外の他機能単独運転中に給湯熱交換器湯温検出手段により検出される給湯熱交換器内の湯温に基づき、循環流量検出部は、循環ポンプの駆動によって循環流路を流れる流体の循環流量を検出する。漏れ給湯検出部は、予め定まる最大循環流量よりも多い流量が上記循環流量検出部により検出されてしまったときには、漏れ給湯が発生していることを示す漏れ給湯発生信号を出力する。例えば、上記漏れ給湯発生信号が出力されると、高温出湯回避部が漏れ給湯に起因した高温出湯の問題を回避するための動作を行う。
【００２３】
上記の如く、漏れ給湯検出部により漏れ給湯を自動的に検出することが可能であり、漏れ給湯が検出されたときには、漏れ給湯に起因した高温出湯を回避する回避手段を行うことによって、漏れ給湯に起因した高温出湯の問題が防止され、前記課題が解決される。
【００２４】
【発明の実施の形態】
以下、本発明に係る実施形態例を図面に基づき説明する。
【００２５】
図１にはこの実施形態例において特徴的な制御構成がブロック図により示されている。本実施形態例の一缶二水路燃焼機器である一缶二水路風呂給湯器のシステムは図１４に示す流量センサ（流水センサ）１９が必要に応じ省略される以外は図１４に示すものと同様であり、同一名称部分には同一符号を付し、その重複説明は省略する。
【００２６】
この実施形態例に示す制御装置２７は、前記したオン・オフ燃焼制御部３２に加えて、図１の実線に示すように、循環流量検出部３４と漏れ給湯検出部３５とデータ格納部３６と高温出湯回避部３７とを有して構成され、漏れ給湯を自動的に検出することができる構成を備えている。
【００２７】
循環流量検出部３４は、追い焚き単独運転中に、前記したオン・オフ燃焼制御部３２によるバーナ５のオン・オフ燃焼の動作状態の時間計測情報や、給湯熱交湯温センサ３１により検出される給湯熱交換器２内の湯温情報に基づき、循環ポンプ１７の駆動によって追い焚き循環流路２３を循環する浴槽湯水の循環流量を検出する構成を備えている。
【００２８】
ところで、本発明者の実験による検討によれば、バーナ５のオン・オフ間欠燃焼を行ったときの給湯熱交湯温の変化は、追い焚き循環流路２３内の循環流量が大の場合は図５に示すような変化を示し、追い焚き循環流路２３内の循環流量が小のときには図８に示すような給湯熱交湯温の変化パターンを示すことが検証されている。
【００２９】
すなわち、追い焚き循環流路２３内の循環流量が小の場合には、図８に示すように、バーナ５の燃焼オン区間においては、給湯熱交換器２側から追い焚き熱交換器３を通る流水側への吸熱量が小となるので、給湯熱交換器２側の湯水の温度上昇のスピードが早くなり、給湯熱交湯温は時間の経過に従い急速に立ち上がる。また、バーナ５の燃焼オフ区間では、同様に追い焚き循環流路２３の流水による吸熱量が小のため、給湯熱交換器２内の湯温は自然空冷に近い状態で低下するため、その湯温降下のスピードが遅く、追い焚き循環流路２３内の循環流量が大の場合に比べ給湯熱交湯温はゆっくりと低下する。
【００３０】
上記のように、バーナオン・オフ燃焼中の給湯熱交湯温の時間的な変化パターンは追い焚き循環流路２３の循環流量に応じて変化することから、この実施形態例では、循環流量検出部３４は、バーナオン・オフ燃焼中の給湯熱交湯温の経時的な変化を利用して追い焚き循環流路２３の循環流量を検出する。具体的には、次に示すような第１〜第１０の循環流量検出構成が考えられ、循環流量検出部３４はそれら第１〜第１０の循環流量検出構成のうちの何れか１つの構成を有して形成される。
【００３１】
まず、第１の循環流量検出構成例では、例えば、図５と図８の温度変化パターンを比較すれば明らかな如く、バーナ５の燃焼がオフしてから燃焼を再開するまでの時間ｔ１は追い焚き循環流路２３内の循環流量が大の場合と小の場合とでは小の場合の方が遥かに長くなる。すなわち、追い焚き循環流路２３の循環流量が少なくなるに従って時間ｔ１は長くなるというように、追い焚き循環流路２３の循環流量に応じて時間ｔ１が変化することから、時間ｔ１に着目して追い焚き循環流路２３の循環流量を検出する。
【００３２】
第１の循環流量検出構成例では、上記追い焚き循環流路２３の循環流量と時間ｔ１の関係を予め実験や演算等によって求め、図４の（ａ）に示すような関係データとしてデータ格納部３６に格納しておく。図４の（ａ）に示す関係データは、横軸を循環流量とし、縦軸の流量検出用データは上記時間ｔ１の値で与えられている。
【００３３】
また、追い焚き循環流路２３の浴槽循環湯水の温度が高くなるに従って給湯熱交換器２側から浴槽循環湯水への吸熱量は少なくなることから、上記追い焚き循環流路２３の循環流量と時間ｔ１の関係は、追い焚き循環流路２３を循環する浴槽湯水の温度にも依存することが本発明者の実験により分かったことから、この第１の例では、上記追い焚き循環流路２３の循環流量と時間ｔ１の関係データは循環湯水の温度Ｔf1，Ｔf2，Ｔf3，・・・（Ｔf1＜Ｔf2＜Ｔf3＜・・・)をパラメータとして与えられている。
【００３４】
この第１の例では、循環流量検出部３４は、図２に示すように、タイマ等の時間計測手段４０を内蔵しており、オン・オフ燃焼制御部３２によるバーナ５のオン・オフ間欠燃焼制御の信号を取り込んでバーナ５が燃焼状態にあるか燃焼停止状態にあるかを検出し、該バーナ５の間欠燃焼の制御信号に基づき、バーナ５の燃焼オフの時点と燃焼開始の時点とを検知し、バーナ５の燃焼オフの時点を検知したときから次の燃焼開始までの時間ｔ１を時間計測手段４０を用いて計測する。
【００３５】
また、循環流量検出部３４は、風呂温度センサ２１により検出される追い焚き循環流路２３の循環湯水温度Ｔｆの情報を取り込み、上記計測時間ｔ１と検出温度Ｔｆとデータ格納部３６に予め格納されている前記関係データとを比較し、計測時間ｔ１と検出温度Ｔｆに対応する追い焚き循環流路２３内の循環流量を求める。
【００３６】
次に、第２の循環流量検出構成例を示す。この第２の例では、上記バーナ５のオン・オフ燃焼によりバーナ燃焼がオンしてから燃焼がオフされるまでの時間ｔ２に着目して追い焚き循環流路２３の循環流量を検出する。
【００３７】
図５と図８の給湯熱交湯温変化パターンから明らかな如く、追い焚き循環流路２３の循環流量が小のときの図８に示す時間ｔ２の値が、循環流量が大の場合の図５に示す時間ｔ２よりも小さな値となり、また、浴槽循環湯水の温度Ｔｆが大きくなるにつれ、時間ｔ２の値は小さくなる。このことから、データ格納部３６には図４の（ｃ）に示す形態の関係データが予め実験等により求められて格納される。この図４の（ｃ）のデータの流量検出用データは前記時間ｔ２の値で与えられるものであり、Ｔf1，Ｔf2，Ｔf3，・・・は循環流の温度（Ｔf1＜Ｔf2＜Ｔf3＜・・・）である。
【００３８】
循環流量検出部３４は、上記第１の例と同様にして、オン・オフ燃焼制御部３２によるバーナ５のオン・オフ間欠燃焼制御の信号に基づき、バーナ５の燃焼オフの時点と燃焼開始の時点とを検知し、バーナ５の燃焼開始の時点を検知したときから次の燃焼オフまでの時間ｔ２を内蔵の時間計測手段４０を用いて計測し、また、風呂温度センサ２１により検出される追い焚き循環流路２３の循環湯水温度Ｔｆの情報を取り込み、上記計測時間ｔ２と検出温度Ｔｆとデータ格納部３６に予め格納されている前記図４の（ｃ）に示す関係データとを比較し、検出時間ｔ２と検出温度Ｔｆに対応する追い焚き循環流路２３内の循環流量を求める。
【００３９】
第３の循環流量検出構成例を示す。この第３の例では、バーナ５のオン・オフ燃焼によるバーナ燃焼開始から次の燃焼開始までの時間ｔ３に着目して追い焚き循環流路２３の循環流量を検出する。
【００４０】
上記バーナ５の燃焼開始時から次の燃焼開始時までの時間ｔ３は図５と図８を比較すれば明らかな如く、追い焚き循環流路２３の循環流量が大の状態の図５に示される時間ｔ３よりも追い焚き循環流路２３の循環流量が小の状態を示す図８の時間ｔ３の値が大きくなる。つまり、循環流量が少なくなるに従って上記時間ｔ３は長くなる。また、循環流の温度Ｔｆが低い場合よりも高い方が給湯熱交換器２側から浴槽循環湯水側への吸熱量が小さくなるので、時間ｔ３は長くなる。
【００４１】
このことから、上記追い焚き循環流路２３の通水温度Ｔｆを考慮した循環流量と上記時間ｔ３の関係を予め実験や演算等により求め、図４の（ａ）に示す形態の関係データをデータ格納部３６に格納する。なお、この図４の（ａ）に示すデータの流量検出用データとしては、前記時間ｔ３の値が与えられることになる。
【００４２】
この第３の例では、循環流量検出部３４は図２に示す内蔵の時間計測手段４０によってバーナオン・オフ燃焼運転中のバーナ５の燃焼開始時から次の燃焼停止期間を介して次にバーナの燃焼が開始されるまでの時間ｔ３を計測し、その計測時間ｔ３と風呂温度センサ２１で検出される浴槽循環湯水の温度Ｔｆのデータをデータ格納部３６に格納されている上記図４の（ａ）に示す関係データに照合し、計測時間ｔ３と循環湯水の温度Ｔｆに応じた循環流量を検出する。
【００４３】
第４の循環流量検出構成例を示す。この第４の例では、バーナオン・オフ燃焼中のバーナ５の燃焼停止時から次の燃焼期間を介して次に燃焼停止されるまでの時間ｔ４に着目して追い焚き循環流路２３の循環流量を検出する。
【００４４】
上記時間ｔ４は図５と図８の給湯熱交湯温の経時的な変化を比較すれば明らかな如く、追い焚き循環流路２３の循環流量が大の場合の図５に示す時間ｔ４の値よりも追い焚き循環流路２３の循環流量が小の場合の図８に示す時間ｔ４の値が明らかに大きくなっている。つまり、循環流量が少なくなるに従って時間ｔ４は長くなっている。また、循環流の温度Ｔｆが低い場合よりも高い場合の方が給湯熱交換器２側から循環流側への吸熱量が小さくなるので、前記時間ｔ４の値が大きくなる。
【００４５】
上記のことから、時間ｔ４と循環流量との関係データは図４の（ａ）に示す形態で与えられ、この図４の（ａ）の流量検出用データとして、前記時間ｔ４の値が与えられる。
【００４６】
循環流量検出部３４は内蔵の時間計測手段４０によりバーナ５の燃焼停止時から次の燃焼期間を介して再び燃焼停止されるまでの時間ｔ４を計測し、その検出時間ｔ４と風呂温度センサ２１で検出される循環流の温度Ｔｆの値をデータ格納部３６に与えられている関係データに照合し、前記計測時間ｔ４と循環流の温度Ｔｆに対応する循環流量を求める。
【００４７】
第５の循環流量検出構成例を示す。この第５の例では、図５に示す上側ピーク温度Ｐｕに基づき循環流量を検出する。
【００４８】
例えば図５に示される上側ピーク温度Ｐｕは追い焚き循環流路２３内の循環流量が小の場合には給湯熱交換器２側から浴槽循環湯水が吸熱（奪う熱）する吸熱量が少ないので、上側ピーク温度Ｐｕは追い焚き循環流路２３の循環流量が大の場合に比べ高くなる。また、浴槽循環湯水の温度Ｔｆが低い場合よりも高い方が給湯熱交換器２側から循環湯水側への吸熱量が小さくなるので、給湯熱交湯温の上側ピーク温度Ｐｕは高くなる。
【００４９】
上記浴槽循環湯水の温度Ｔｆを考慮して上側ピーク温度Ｐｕと循環流量との関係が予め実験や演算等により求められ、図４の（ａ）に示すような関係データがデータ格納部３６に格納される。なお、この図４の（ａ）に示される流量検出用データは、上側ピーク温度Ｐｕの値で与えられる。
【００５０】
この第５の例では、循環流量検出部３４は、図３の実線に示すように、給湯熱交湯温センサ３１により検出される給湯熱交湯温を予め定めた時間間隔（例えば、０．１秒間隔）で取り込んで記憶する経時温度データ採取記憶部４１を内蔵しており、上記経時温度データ採取記憶部４１で採取記憶された給湯熱交湯温のピーク温度Ｐｕと風呂温度センサ２１で検出される循環流の温度Ｔｆとをデータ格納部３６に格納されている上記関係データに照合し、前記ピーク温度Ｐｕと循環流温度Ｔｆに対応する追い焚き循環流路２３の循環流量を求める。
【００５１】
第６の循環流量検出構成例を示す。この第６の例では、給湯熱交湯温の経時変化データの下側ピーク温度Ｐｄと循環流の温度Ｔｆに基づいて追い焚き循環流路２３内の通水流量を検出する。
【００５２】
給湯熱交湯温の経時変化データの下側ピーク温度Ｐｄは追い焚き循環流路２３内の循環流量が小の場合の方が大の場合に比べ、給湯熱交換器２側から追い焚き熱交換器３側に吸熱される熱量が小さいので、下側ピーク温度Ｐｄは高くなる。また、下側ピーク温度Ｐｄは、循環流の温度Ｔｆが高い方が低い場合に比べ高くなる。このことから、データ格納部３６に与えられる関係データは図４の（ａ）に示す形態のデータとなり、この図４の（ａ）の流量検出用データとして、前記下側ピーク温度Ｐｄの値が与えられる。
【００５３】
この第６の例では、循環流量検出部３４は、前記同様の経時温度データ採取記憶部４１で採取記憶された給湯熱交湯温の経時変化データの下側ピーク温度Ｐｄと風呂温度センサ２１で検出される循環流の温度Ｔｆをデータ格納部３６に格納されている関係データに照合し、下側ピーク温度Ｐｄと浴槽循環湯水の検出温度Ｔｆに対応する循環流量を検出する。
【００５４】
第７の循環流量検出構成例を示す。この第７の例では、給湯熱交湯温の経時変化データにおける給湯熱交検出湯温の上昇傾きと浴槽循環湯水の温度とにより追い焚き循環流路２３内の循環流量を検出する。
【００５５】
給湯熱交湯温の上昇傾きは、図５と図８を比較すれば明らかな如く、追い焚き循環流路２３内の循環流量が小の場合の方が大の場合よりも上昇傾きは大となる。また、循環流の温度Ｔｆが高い方が低い場合よりも給湯熱交湯温の上昇傾きは大きくなる。このことから、データ格納部３６には図４の（ａ）に示す形態の関係データが格納される。この図４の（ａ）に示す流量検出用データとして、前記給湯熱交湯温の上昇傾きの値が与えられる。
【００５６】
この第７の例では、循環流量検出部３４は前記した経時温度データ採取記憶部４１に加えて、図３の点線に示す演算部４２が設けられ、この演算部４２は前記経時温度データ採取記憶部４１で採取記憶された給湯熱交湯温の経時データから給湯熱交湯温の上昇の傾きを演算により求める。
【００５７】
循環流量検出部３４は上記演算された給湯熱交湯温の上昇の傾きと風呂温度センサ２１で検出された循環流の温度Ｔｆをデータ格納部３６に格納されている関係データに照合し、給湯熱交湯温の上昇傾きと循環流の検出温度Ｔｆに対応する追い焚き循環流路２３を通る循環流量を検出する。
【００５８】
第８の循環流量検出構成例を示す。この第８の例では、給湯熱交湯温の下降傾きと循環流温度Ｔｆにより追い焚き循環流路２３内の循環流量を検出する。
【００５９】
給湯熱交湯温のバーナ燃焼の停止期間における下降傾きは図５と図８の温度変化パターンから明らかなように、追い焚き循環流路２３内の循環流量が小の場合の方が大の場合に比べ緩やかとなる。また、給湯熱交湯温のバーナ燃焼の停止期間における下降傾きは浴槽循環湯水の温度が高い方が低い場合に比べ緩やか（小）となる。このことから、データ格納部３６に格納される関係データは図４の（ｃ）に示す形態となる。この図４の（ｃ）に示す流量検出用データとして、給湯熱交湯温のバーナ燃焼の停止期間における下降傾きの値が与えられる。
【００６０】
循環流量検出部３４は前記経時温度データ採取記憶部４１と、給湯熱交湯温の下降傾きを算出する演算部４２とが内蔵されており、上記演算部４２で演算された給湯熱交湯温の下降傾きの値と風呂温度センサ２１で検出される浴槽循環湯水の温度Ｔｆをデータ格納部３６に与えられている関係データに照合し、前記給湯熱交湯温の下降傾きの値と浴槽循環湯水の検出温度Ｔｆに対応した追い焚き循環流路２３内の循環流量を検出する。
【００６１】
第９の循環流量検出構成例を示す。この第９の例では、給湯熱交湯温の経時変化データ中の図６に示す下側ピーク温度Ｐd1とその隣の下側ピーク温度Ｐd2との間隔（ａ＋ｂ）と、上記下側ピーク温度Ｐd1と後述する点Ｑとの間隔ａと、その隣の下側ピーク温度Ｐd2と上記点Ｑとの間隔ｂと、上側ピーク温度Ｐｕと点Ｑとの間隔ｃとのうちのいずれか２つのデータの比を用いて追い焚き循環流路２３の循環流量を検出する。
【００６２】
循環流量検出部３４は前記経時温度データ採取記憶部４１に加えて、次に示すような演算部４２を内蔵している。この第９の例に示す演算部４２は経時温度データ採取記憶部４１により採取記憶されたデータから図６に示す如く、給湯熱交湯温の経時変化データ中の上側ピーク温度Ｐｕとその前側の第１の下側ピーク温度Ｐd1と後側の第２の下側ピーク温度Ｐd2のデータを取り込んで、これらのデータを横軸を時間軸とし、縦軸を温度軸としたグラフ上に表し、下側ピーク温度Ｐd1とＰd2を結ぶ線に上側ピーク温度Ｐｕから垂線を降ろした交点Ｑを求める。そして、両隣の下側ピーク温度Ｐd1とＰd2を結ぶ下側ピーク温度間結線の長さ（ａ＋ｂ）と、第１の下側ピーク温度Ｐd1と交点Ｑまでの線分の長さａと、交点Ｑと第２の下側ピーク温度Ｐd2を結ぶ線分の長さｂと、前記上側ピーク温度Ｐｕと交点Ｑ間の垂線の長さｃとのうちのいずれか２つのデータの比を演算により求める。
【００６３】
データ格納部３６には前記演算部４２で求められる比に対応した値と循環流量との関係データが浴槽循環湯水の温度Ｔｆに応じて（循環湯水の温度Ｔｆをパラメータとして）与えられている。
【００６４】
循環流量検出部３４は前記演算部４２で求められる比の値と風呂温度センサ２１で検出される循環流の温度Ｔｆをデータ格納部３６に格納されている関係データに照合し、前記演算部４２で求められる比の値と浴槽循環湯水の検出温度Ｔｆの値に対応した追い焚き循環流路２３内の循環流量を検出する。
【００６５】
具体的には、例えば、演算部４２により（ｂ／ａ）の演算が行われる構成としたときには、データ格納部３６にはこの（ｂ／ａ）に対応する判定比率値のデータと循環流量との関係データが循環流の温度Ｔｆに応じて（浴槽循環湯水の温度をパラメータとして）与えられる。この判定比率値（ｂ／ａ）の値は、循環流量が小の方が大の場合よりも大きくなる。また、この（ｂ／ａ）の比の値は浴槽循環湯水の温度が高い方が低い場合よりも大きくなり、また、浴槽循環湯水の温度Ｔｆが高い方が低い場合よりも大となる。このことから、関係データは図４の（ａ）に示す形態となり、この図４の（ａ）の流量検出用データとして、（ｂ／ａ）の値が与えられる。
【００６６】
また、演算部４２により（ｂ／ｃ）の値を演算して追い焚き循環流路２３内の循環流量を検出する構成とする場合には、データ格納部３６にはこの（ｂ／ｃ）の演算値に対応する判定比率値の値と循環流量との関係データが循環循環湯水の温度Ｔｆに応じて（浴槽循環湯水の温度Ｔｆをパラメータとして）データ格納部３６に格納される。前記判定比率値（ｂ／ｃ）の値は、循環流量が小さい場合の方が大きい場合よりも大きくなり、また、浴槽循環湯水の温度Ｔｆが高い方が低い場合よりも大となることから、図４の（ａ）に示す形態のデータとして与えられる。この図４の（ａ）の流量検出用データとして、判定比率値（ｂ／ｃ）の値が与えられる。
【００６７】
同様に、演算部４２により（ｂ／（ａ＋ｃ））の値を演算して追い焚き循環流路２３内の循環流量を検出する構成とする場合には、データ格納部３６には（ｂ／（ａ＋ｃ））に対応する判定比率値と循環流量との関係データが浴槽循環湯水の温度Ｔｆに応じて、つまり、循環流の温度Ｔｆをパラメータとして与えられる。比率判定値（ｂ／（ａ＋ｃ））の値は、循環流量が小の場合が大の場合よりも大きく、また、浴槽循環湯水の温度は、高い方が低い場合よりも大きくなる。このことから、データ格納部３６に与えられる関係データは図４の（ａ）に示す形態となり、この図４の（ａ）に示される流量検出用データとして比率判定値（ｂ／（ａ＋ｃ））の値が与えられる。
【００６８】
同様に、演算部４２により（ａ／ｂ），（ｃ／ｂ），（（ａ＋ｃ）／ｂ）等の各演算値に基づき追い焚き循環流路２３の循環流量の検出を行う構成とする場合には、それぞれ（ａ／ｂ），（ｃ／ｂ），（（ａ＋ｃ）／ｂ）に対応する判定比率値と循環流量との関係データが浴槽循環湯水の温度Ｔｆに応じたデータとしてデータ格納部３６に与えられる。
【００６９】
このように、この第９の例では、循環流量検出部３４は、演算部４２により算出される図６に示すａ，ｂ，ｃ，（ａ＋ｂ）の任意の２つのデータの組み合わせの比の演算値と、風呂温度センサ２１で検出される循環流の温度Ｔｆとを上記関係データに照合し、上記演算値と循環流の温度Ｔｆに対応する循環流量を求める。
【００７０】
第１０の循環流量検出構成例を示す。この第１０の例では、図７に示すように横軸を時間軸とし、縦軸を温度軸したグラフ上に給湯熱交湯温の上側のピーク温度と下側のピーク温度の経時的に連続する４個のピーク温度位置Ｐu1，Ｐd1，Ｐu2，Ｐd2と、下側のピーク温度位置Ｐd1からその両隣の上側のピーク温度Ｐu1，Ｐu2を結ぶ線に降ろした垂線の交点位置Ｑ１と、上側のピーク温度位置Ｐu2からその両隣の下側のピーク温度Ｐd1，Ｐd2を結ぶ線に降ろした垂線の交点位置Ｑ２のうち、予め定められる３点以上を結んで得られる図形の面積に基づき、追い焚き循環流路２３の循環流量を検出する。
【００７１】
循環流量検出部３４は前記同様の経時温度データ採取記憶部４１と、上記点Ｐu1，Ｐd1，Ｐu2，Ｐd2，Ｑ１，Ｑ２のうちの予め定められる３点以上を結んで得られる図形の面積を検出する演算部４２とを有して構成されている。
【００７２】
前記演算部４２による図形面積の演算は、例えば、図７の点Ｐu1，Ｐd1，Ｑ１を結ぶ三角形の面積、点Ｐd1，Ｐu2，Ｑ１を結ぶ三角形の面積、点Ｐd1，Ｐu2，Ｑ２を結ぶ三角形の面積、点Ｑ２，Ｐu2，Ｐd2を結ぶ三角形の面積、点Ｐu1，Ｐu2，Ｐd1を結ぶ三角形の面積、点Ｐu2，Ｐd1，Ｐd2を結ぶ三角形の面積、点Ｑ１，Ｐd1，Ｑ２，Ｐu2を結ぶ四角形の面積、点Ｐu1，Ｐd1，Ｐd2，Ｐu2を結ぶ四角形の面積等、予め定められた点を結んだ図形の面積が求められる。
【００７３】
また、データ格納部３６には、これら求められる面積の図形に応じて、浴槽循環湯水の検出温度Ｔｆを考慮した図４の（ａ），（ｂ），（ｃ），（ｄ）に示す形態の関係データが格納されるものであり、この図４の流量検出用データとして、図形面積値の値が与えられる。
【００７４】
循環流量検出部３４は、上記演算部４２で演算された図形面積値と風呂温度センサ２１で検出される循環流の温度Ｔｆのデータをデータ格納部３６に格納されている関係データに照合し、その図形面積値と浴槽循環湯水の温度Ｔｆに対応する追い焚き循環流路２３内の循環流量を検出する。
【００７５】
この実施形態例では、上記第１〜第１０の循環流量検出構成のうちの何れか１つの構成により、循環流量検出部３４は形成される。
【００７６】
上記のように、給湯熱交湯温センサ３１により検出される給湯熱交湯温に基づき追い焚き循環流路２３内の循環流量が検出できることによって、循環流量を検出する図１４に示す流量センサ１９を省略することが可能となり、その分、装置コストの低減化を図ることが可能である。また、上記循環流量検出部３４により検出される流量が予め定めた流量よりも低下したときには追い焚き循環流路２３内に流水はないと判断し、それ以外のときには追い焚き循環流路２３内に流水があると判断することができ、つまり、循環流量検出部３４の検出流量に基づき追い焚き循環流路２３の流水の有無を判断することが可能であり、追い焚き循環流路２３内の流水の有無を判断するための流水センサを省略することができる。
【００７７】
さらに、追い焚き循環流路２３に流水や流量を検出するためのセンサを設けることなく流路２３内の流水の有無および流量を判断できるので、追い焚き循環の流水や流量を検出するセンサに髪の毛等が絡みついて故障を起こすという問題は全く生じないので、追い焚き循環流路２３内の流水の有無判断および流量検出を確実に、且つ、高信頼性のもとで検出することができ、追い焚き熱交換器３の空焚きによる危険防止を確実に図ることができる。
【００７８】
流水センサや流量センサ１９を用いて追い焚き循環流路２３内の流水の有無や流量を判断する方式では、流水センサや流量センサ１９は故障しやすいので、故障が生じたときには、追い焚き循環流路２３内に循環湯水の流水が生じているにも拘わらずその検知信号が得られずに燃焼が停止されて追い焚きが出来なかったり、あるいは追い焚き循環流路２３内に水（流水）がないにも拘わらずこれを検知することが出来ずに空焚き状態になるという危険発生の問題を確実に防止できるので、追い焚きの運転を円滑に行うことができるとともに、前記の如く空焚き防止を確実に図ることができるという優れた効果を奏することが可能となるものである。
【００７９】
さらに、循環流量検出部３４により追い焚き循環流量が検出されるので、追い焚き運転中に、その検出された循環流量のデータを用いて、循環流量の制御を行うことが可能となり、例えば、循環流量が一定となるように循環ポンプ１７の駆動入力を制御したり、あるいは追い焚き単独運転中に、給湯熱交湯温センサ３１の検出温度が高くなってオフ温度に近づいたときには給湯熱交換器２側から追い焚き循環湯水への吸熱量を増加するために循環流量を大となる方向に制御する等の様々な循環流量の制御形態の展開が可能となるものである。
【００８０】
循環流量検出部３４は、上記の如く検出した追い焚き循環流路２３の循環流量を、図１に示す漏れ給湯検出部３５に出力する。漏れ給湯検出部３５は、上記循環流量検出部３４から加えられた循環流量を、データ格納部３６に予め格納された最大循環流量Ｒmxに比較する。
【００８１】
上記最大循環流量Ｒmxは循環ポンプ１７の能力等によって予め定まる追い焚き循環流路２３の最大の循環流量であり、予め実験や演算等により求めてデータ格納部３６に格納されている。
【００８２】
漏れ給湯検出部３５は、循環流量検出部３４の検出循環流量と上記最大循環流量Ｒmxの比較の結果、循環流量検出部３４の検出循環流量が上記最大循環流量Ｒmxを越えてしまったときは漏れ給湯が生じていると判断する。それというのは、漏れ給湯が発生しているときには、給湯熱交換器２の熱は追い焚き循環流路２３の循環湯水に奪われるだけでなく、漏れ給湯による通水によっても吸熱されることとなり、給湯熱交換器２から奪われる熱量が非常に多くなり、給湯熱交湯温センサ３１により検出される給湯熱交湯温の経時変化パターンは、上記最大循環流量Ｒmx以上の流量で浴槽湯水が追い焚き循環流路２３を循環している状態でのパターンとなり、循環流量検出部３４により最大循環流量Ｒmx以上の流量が検出されてしまう。このことから、循環流量検出部３４の検出循環流量が上記最大循環流量Ｒmxを越えてしまったときは漏れ給湯が生じていると判断することができる。
【００８３】
漏れ給湯検出部３５は、上記の如く漏れ給湯が発生していると判断したときには、漏れ給湯が発生していることを示す漏れ給湯発生信号を高温出湯回避部３７に出力する。
【００８４】
高温出湯回避部３７は上記漏れ給湯発生信号を受け取ると、予め定められた高温出湯回避動作を行う構成を備えている。例えば、図９に示すように、給水管１１と給湯管１４を短絡するバイパス通路４３を設け、該バイパス通路４３に通水のオン・オフを行う流量比制御手段としての常時閉の開閉弁４４を設けておき、高温出湯回避部３７は、漏れ給湯発生信号を受け取った場合には、上記開閉弁４４を開弁して、給湯熱交換器２から漏れ出た湯にバイパス通路４３から水をミキシングさせて（バイパス通路４３から給湯管１４に流れ込むバイパス流量ｑ１と、該バイパス通路４３から給湯管１４に流れ出た水が合流する湯側の流量ｑ０との流量比Ｒを変化させ）、給湯熱交換器２から漏れ出た高温湯の湯温を下げ、漏れ給湯に起因した高温出湯の問題を回避する。
【００８５】
また、図１０に示すように、上記同様のバイパス通路４３を設け、該バイパス通路４３に通水流量を可変制御することができる流量比制御手段としての流量制御手段４５を設けておき、高温出湯回避部３７は、漏れ給湯発生信号を受け取った場合には、上記流量制御手段４５をバイパス通路４３の流量増加方向に制御して上記湯側の流量ｑ０に対するバイパス流量ｑ１の流量比Ｒを増加させ、給湯熱交換器２から漏れ出た湯にバイパス通路４３からミキシングさせる水量を増加させ、出湯湯温を下げて漏れ給湯に起因した高温出湯の問題を回避するように構成してもよい。
【００８６】
さらに、高温出湯回避部３７は、漏れ給湯発生信号を受け取った場合に、予め定めた手法により前記バーナ燃焼制御部３２による間欠燃焼のオン温度Ｔonとオフ温度Ｔofの少なくともオフ温度Ｔofを下げる方向に可変設定し、この設定されたオン温度とオフ温度に基づきオン・オフ燃焼制御部３２による燃焼制御を行わせる構成としてもよい。
【００８７】
例えば、漏れ給湯が発生したときに、漏れ給湯に起因した高温出湯の問題を回避することが可能なオン温度Ｔon’とオフ温度Ｔof’を予め実験や演算等により求め、これらオン温度Ｔon’とオフ温度Ｔof’をデータ格納部３６に格納しておき、高温出湯回避部３７は、上記漏れ給湯検出部３５から漏れ給湯発生信号が出力されたときには、上記オン温度Ｔon、オフ温度Ｔofをそれぞれ予め定めた上記オン温度Ｔon’、オフ温度Ｔof’に下方可変設定する。
【００８８】
また、高温出湯回避部３７は、漏れ給湯発生信号が出力されたときに、上記オン温度Ｔon、オフ温度Ｔofをそれぞれ予め定めた温度Ｍon，Ｍof分だけ低下可変設定する構成とし、上記オン温度Ｔonを低下可変するための温度値Ｍonと、オフ温度Ｔofを低下可変するための温度値Ｍofとを、給湯熱交湯温センサ３１の検出湯温Ｔz1と給湯温度センサ１５の検出湯温Ｔouとの差分ΔＴの大きさが大きくなるに従って、それぞれ大きくする方向に可変するためのデータを与えておき、高温出湯回避部３７は、上記給湯熱交湯温センサ３１により検出される湯温Ｔz1と、給湯温度センサ１５により検出される湯温Ｔouとを取り込み、上記検出湯温Ｔz1と湯温Ｔouの差分ΔＴを求め、この求めた差分ΔＴを上記データに照合して上記差分ΔＴに対応するオン温度とオフ温度の各温度補正値Ｍon，Ｍofを検出し、これら求めた検出値Ｍon，Ｍof分を上記オン温度Ｔonとオフ温度Ｔofからそれぞれ差し引いて、オン温度Ｔonとオフ温度Ｔofを下げる方向に可変設定するように構成してもよい。
【００８９】
なお、上記例では、オン温度Ｔonとオフ温度Ｔofの両方を下げる方向に可変設定する例を示したが、オン温度Ｔonとオフ温度Ｔofのうちのオフ温度Ｔofのみを上記同様にして下げる方向に可変設定してもよい。
【００９０】
上記の如く、高温出湯回避部３７は、給湯熱交換器２から漏れ出た湯水にバイパス通路４３から水を加えて高温出湯を回避する構成、あるいは、間欠燃焼のオン温度とオフ温度を低下設定することで給湯熱交換器２から漏れ出る湯水の温度を高温出湯を回避することができる湯温に制御して高温出湯の問題を回避する構成を備えたので、漏れ給湯に起因した高温出湯の問題を防止することができる。
【００９１】
この実施形態例によれば、漏れ給湯の発生を自動的に検知する構成を備え、漏れ給湯が発生したときには漏れ給湯に起因した高温出湯を防止する構成を有したので、追い焚き単独運転中に漏れ給湯が発生したときには漏れ給湯に起因した高温出湯を防止することができ、高温出湯によって器具の利用者に不快感を与えてしまったり、火傷を負わせてしまうという重大な問題発生を回避することができる。
【００９２】
ところで、通水流量を検出する流量検出センサには様々な種類があり、その中の１つに、通水によって内蔵の羽根部が回転し該回転量の情報に基づき通水流量を検出する構成のフローセンサがある。このフローセンサは、例えば、約１リットル／min以上の流量を検出することが可能であるが、約１リットル／min未満の流量の通水では上記羽根部が回転しないことから、約１リットル／min未満の流量を検出することができない。
【００９３】
このようなフローセンサを図１４に示すように流量検出センサ１３として組み込む場合には、約１リットル／minから前記給湯作動流量（２．５リットル／min）までの漏れ給湯の流量をフローセンサによって検出することができるので、約１リットル／minから前記給湯作動流量までの漏れ給湯に起因した高温出湯を前記の如く防止することが可能であるが、約１リットル／min未満の漏れ給湯が発生しているときには、フローセンサによって漏れ給湯を検出することができない。
【００９４】
これに対して、この実施形態例では、約１リットル／minから前記給湯作動流量までの漏れ給湯だけでなく、上記の如く約１リットル／min未満の流量の漏れ給湯が発生した場合にもその漏れ給湯を検出することが可能であるので、非常に微量の流量の漏れ給湯をも確実に検出することができ、漏れ給湯に起因した高温出湯問題を完璧に回避することができるという画期的な効果を奏することが可能なものである。
【００９５】
なお、本発明は上記実施形態例に限定されることはなく、様々な実施の形態例を採り得る。例えば、上記実施形態例では、他機能運転を追い焚き運転とし、非給湯側熱交換器を追い焚き熱交換器３とし、流体の循環流路を追い焚き循環流路２３としたが、他機能運転を追い焚き以外の運転とし、前記非給湯側熱交換器は追い焚き以外の熱交換器としてもよく、また、流体の循環流路を追い焚き循環流路以外の循環流路としてもよいものである。
【００９６】
例えば、図１１に示すように、非給湯側熱交換器を暖房用熱交換器４６とし、流体の循環流路を暖房循環流路４７としてもよいものである。この暖房と給湯の機能を有する一缶二水路式燃焼機器では、エチレングリコールやプロピレングリコールに水を加えた流体が循環ポンプ１７によって暖房循環流路４７を循環し、その循環流体は暖房用熱交換器４６で加熱され、その加熱流体は放熱器４８を通るときに暖房ファン５０の風を受けて放熱し、放熱器４８を通った暖かい風が室内に導入されて室内暖房が行われるものである。
【００９７】
なお、図１１中４８はバイパス流路、５２はシスターンタンク、５３は暖房オン・オフバルブをそれぞれ示している。また、５４は非給湯側流体温度検出センサとして機能する循環流温度センサである。
【００９８】
さらに、上記実施形態例では、漏れ給湯検出部３５が漏れ給湯発生を検知したときには、高温出湯回避部３７により高温出湯回避動作が行われていたが、漏れ給湯が発生したときに上記高温出湯回避部３７による高温出湯回避動作が行われるだけでなく、例えば、図１の点線に示すように、漏れ給湯発生を報知するためのランプ等の報知手段５５をリモコン２８等に設け該報知手段５５により漏れ給湯発生を器具の利用者に報知するようにしてもよい。
【００９９】
さらに、図１４に示すシステム構成では、湯張り通路２４を設けたが、この湯張り通路２４は省略してもよく、給湯熱交換器２と非給湯側の熱交換器とが一体化された一缶二水路式の構成を備えた燃焼機器であればよく、その給湯側と非給湯側のシステム構成は上記実施形態例以外の様々なシステム形態を採り得るものである。
【０１００】
【発明の効果】
この発明によれば、予め定まる最大循環流量よりも多い循環流量が循環流量検出部により検出されたときに漏れ給湯が生じていることを示す漏れ給湯発生信号を出力する漏れ給湯検出部を設けたので、漏れ給湯を自動的に検出することができ、漏れ給湯に起因した高温出湯の問題発生を防止することができる。
【０１０１】
バイパス通路と流量比制御手段が設けられ、漏れ給湯発生信号が出力されたときには湯側の流量とバイパス流量の流量比を漏れ給湯による高温出湯を回避する流量比に向けて上記流量比制御手段により制御する構成を備えたものにあっては、漏れ給湯が発生したときには給湯熱交換器から漏れ出る高温の湯に上記バイパス通路から水がミキシングされて湯温が下げられ、漏れ給湯に起因した高温出湯の問題発生を防止することができる。
【０１０２】
漏れ給湯検出部から漏れ給湯発生信号が出力されたときに、オン・オフ燃焼制御によるオン温度とオフ温度のうちの少なくともオフ温度を下げる方向に可変設定する構成を備えたものにあっては、給湯熱交換器から漏れ出る湯水の湯温をオン・オフ燃焼制御部による間欠燃焼によって高温出湯を防止することができる湯温に下げることが可能となり、漏れ給湯に起因した高温出湯の問題を回避することができる。
【図面の簡単な説明】
【図１】漏れ給湯を自動的に検出する本実施形態例において特徴的な制御構成を示すブロック図である。
【図２】バーナの間欠燃焼動作状態の時間の情報に基づき追い焚き循環流路内の流量を検出する構成の一例を示すブロック図である。
【図３】追い焚き単独運転中における給湯熱交湯温の情報に基づき追い焚き循環流路内の流量を検出する構成の一例を示すブロック図である。
【図４】追い焚き循環流路の循環流量を検出するための流量検出用データと循環流量との関係データの形態例を示す図である。
【図５】バーナの間欠燃焼動作状態と給湯熱交湯温の関係を示す説明図である。
【図６】上側ピーク温度Ｐｕから両隣の下側ピーク温度Ｐd1，Ｐd2を結ぶ線に垂線を降ろして得られる線の長さａ，ｂ，ｃ，（ａ＋ｂ）の任意の２つの組み合わせの比を利用して追い焚き循環流路内の流量を検出する例の説明図である。
【図７】給湯熱交湯温の上側ピーク温度Ｐu1，Ｐu2と下側ピーク温度Ｐd1，Ｐd2とＰd1，Ｐu2の垂線の交点Ｑ１，Ｑ２の各点のうちの予め定められた３点以上を結んで得られる図形の面積に基づき追い焚き循環流路内の流量を検出する例の説明図である。
【図８】追い焚き循環流路内の流量が小の状態のときのバーナの間欠燃焼運転による給湯熱交湯温の経時変化パターンを示す説明図である。
【図９】漏れ給湯が発生したときに漏れ給湯に起因した高温出湯を回避する手段の一例を示す説明図である。
【図１０】漏れ給湯が発生したときに漏れ給湯に起因した高温出湯を回避する手段のその他の例を示す説明図である。
【図１１】本発明が適用される給湯機能と暖房機能を備えた一缶二水路式燃焼機器のシステム構成例を示す図である。
【図１２】給湯熱交湯温センサを用いてバーナの間欠燃焼動作を行う制御構成のブロック図である。
【図１３】予め与えられるオフ温度とオン温度に基づき追い焚き単独運転中のバーナのオン・オフ間欠燃焼動作例を示す説明図である。
【図１４】出願人が先に試作したバーナ間欠燃焼タイプの一缶二水路燃焼機器のシステム図である。
【符号の説明】
２  給湯熱交換器
３  追い焚き熱交換器
５  バーナ
１７  循環ポンプ
２３  追い焚き循環流路
３１  給湯熱交湯温センサ
３２  オン・オフ燃焼制御部
３４  循環流量検出部
３７  高温出湯回避部
【図１】
0003822739.tif 000002
【図２】
0003822739.tif 000003
【図３】
0003822739.tif 000004
【図４】
0003822739.tif 000005
【図５】
0003822739.tif 000006
【図６】
0003822739.tif 000007
【図７】
0003822739.tif 000008
【図８】
0003822739.tif 000009
【図９】
0003822739.tif 000010
【図１０】
0003822739.tif 000011
【図１１】
0003822739.tif 000012
【図１２】
0003822739.tif 000013
【図１３】
0003822739.tif 000014
【図１４】
0003822739.tif 000015